(57)【要約】【課題】衛生マスクを一枚ずつ、しかも装着時顔面に接触する面に触れることなく確実に取り出すことができる衛生マスク包装体の提供。【解決手段】上面中央部に取り出し口が形成されている略長方形状の袋体に、複数枚の衛生マスクが、装着時顔面に接触しない面を当該取り出し口側にして積層収納されていると共に、当該取り出し口に蓋ラベルが開閉自在にシールされていることを特徴とする衛生マスク包装体。【選択図】図１
0003226470.tif 000002
【実用新案登録請求の範囲】
【請求項１】
上面中央部に取り出し口が形成されている略長方形状の袋体に、複数枚の衛生マスクが、装着時顔面に接触しない面を当該取り出し口側にして積層収納されていると共に、当該取り出し口に蓋ラベルが開閉自在にシールされていることを特徴とする衛生マスク包装体。
【請求項２】
前記取り出し口が、当該袋体の長手方向に沿って略長方形状に形成されていることを特徴とする請求項１記載の衛生マスク包装体。
【請求項３】
前記取り出し口の短手両端部が弧状となっていることを特徴とする請求項１又は２記載の衛生マスク包装体。
【請求項４】
前記取り出し口の最大長手巾が、６〜１２ｃｍであると共に、最大短手巾が、１〜５ｃｍであることを特徴とする請求項１〜３の何れか１項記載の衛生マスク包装体。
【請求項５】
前記衛生マスクが、装着時顔面に接触する面側に、耳掛け部を折り畳んで収納されていることを特徴とする請求項１〜４の何れか１項記載の衛生マスク包装体。
【請求項６】
前記蓋ラベルが透明体であることを特徴とする請求項１〜５の何れか１項記載の衛生マスク包装体。
【考案の詳細な説明】
【技術分野】
【０００１】
本考案は、衛生マスクを複数枚収納した衛生マスク包装体に関する。
【背景技術】
【０００２】
従来、衛生マスクを複数枚収納した包装体としては、長手方向の一方の端縁部、すなわち短手辺側に開閉可能なフラップ付きの開口部を有する袋体に、複数枚の衛生マスクを、装着時顔面に接触する面を当該開口部側にして積層収納したものが既に知られている（例えば、特許文献１参照）。
【先行技術文献】
【特許文献】
【０００３】
【特許文献１】特開２０１１−１６２２６４号公報
【考案の概要】
【考案が解決しようとする課題】
【０００４】
しかしながら、斯かる従来の衛生マスク包装体は、袋体の一方の短手辺側に形成された開口部から衛生マスクを取り出すものであったため、衛生マスクの端部を摘まむ際に複数枚の端部を摘まみ易く、また、仮に一枚の端部を摘まんだとしても、衛生マスク同士の袋体長手方向への長い摺動により下層の衛生マスクまでも引きつられ易い結果、往々にして複数枚の衛生マスクを袋体から引き出してしまうと云う問題があった。そのため、一旦引き出された使用しない衛生マスクは、既に手指や外気に触れたにも拘らず、手指で袋内に戻されており、衛生的にもかなり問題なのが実情であった。
【０００５】
また、上記の衛生マスク包装体は、複数枚の衛生マスクが、装着時顔面に接触する面を開口部側にして積層収納されていたため、衛生マスクを取り出す際や顔面に装着する際に、手指が装着時顔面に接触するマスク面に触れ易い結果、感染防止の点からも甚だ問題なのが実情であった。
【０００６】
本考案は、上記の如き従来の問題と実情に鑑みてなされたものであり、衛生マスクを一枚ずつ、しかも装着時顔面に接触する面に触れることなく確実に取り出すことができる衛生マスク包装体を提供することを課題としている。
【課題を解決するための手段】
【０００７】
本考案者は、上記の課題を解決すべく鋭意検討を重ねた結果、袋体の中央部に取り出し口を形成すると共に、複数の衛生マスクを、装着時顔面に接触しない面を当該取り出し口側にして積層収納すれば、極めて良い結果が得られることを見い出し、本考案を完成した。
【０００８】
すなわち、本考案は、上面中央部に取り出し口が形成されている略長方形状の袋体に、複数枚の衛生マスクが、装着時顔面に接触しない面を当該取り出し口側にして積層収納されていると共に、当該取り出し口に蓋ラベルが開閉自在にシールされていることを特徴とする衛生マスク包装体により上記課題を解決したものである。
【考案の効果】
【０００９】
本考案の衛生マスク包装体は、当該袋体の中央部の取り出し口の蓋ラベルを剥離すれば、取り出し口が開口し、衛生マスクの装着時顔面に接触しない面が露出するので、その部分を手指で摘まみ、上方に引き出すことができるため、装着時顔面に接触する面に手指が触れることはない。しかも、袋体の中央部に存在する取り出し口から上方に引き出すため、従来のような衛生マスク同士の摺動は殆ど生じない結果、下層の衛生マスクが引き出されることがないので、一枚ずつ確実に取り出すことができる。
【図面の簡単な説明】
【００１０】
【図１】本考案衛生マスク包装体の正面説明図。
【図２】蓋ラベルを剥離した本考案衛生マスク包装体の斜視説明図。
【図３】衛生マスクの収納状態を示す概略断面説明図。
【考案を実施するための形態】
【００１１】
以下本考案の実施の形態を図面と共に説明する。
【００１２】
図１〜図３において、Ｐは衛生マスク包装体で、取り出し口１１を有する袋体１０と、当該取り出し口１１開閉用の蓋ラベル２０と、当該袋体１０内に収納されている衛生マスク３０とから構成されている。
【００１３】
袋体１０は、略長方形状を呈しており、その上面中央部には、衛生マスク３０を一枚ずつスムースに取り出すために袋体１０の長手方向に沿って略長方形状の取り出し口１１が形成されている。この取り出し口１１の短手両端部は、衛生マスク３０を一枚ずつスムースに取り出すためにエッヂのない弧状となっている。また、この取り出し口１１の大きさとしては、最大長手巾を６〜１２ｃｍ、好ましくは７〜１１ｃｍ、特に好ましくは８〜１０ｃｍ、最大短手巾を１〜５ｃｍ、好ましくは１．５ｃｍ〜４ｃｍ、特に好ましくは２〜３ｃｍとするのが衛生マスクをスムースに一枚ずつ取り出す上で望ましい。また、このような取り出し口１１の大きさにすることにより、袋体１０から衛生マスク３０を取り出した後に再収納することが困難であるため、衛生上の観点から望ましい。
【００１４】
蓋ラベル２０は、感圧性接着剤等により着脱自在に取り出し口１１にシールされている。この蓋ラベル２０の一方の短手辺縁部には、剥離ストッパーとして機能する曲線状の切れ目２１が２ヶ所形設されている。この取り出し口１１にシールされた蓋ラベル２０により、店頭で陳列した商品から衛生マスク３０の抜き取りが困難になることから、改ざん防止効果が得られる。
また、この蓋ラベル２０は、不透明なものであっても良いが、透明体とすれば、袋体１０表面に施された模様・図柄・文字等のデザインをシール時においても視認できるので望ましい。尚、図１は蓋ラベル２０が透明体の実施態様を示し、外方から透視される取り出し口１１をも図示している。
【００１５】
衛生マスク３０は、装着時顔面に接触しない面を取り出し口１１側にして積層収納されている。この場合、耳掛け部３１は装着時顔面に接触する面側に折り畳んで収納するのが、耳掛け部３１が支障とならず、衛生マスク３０をスムースに取り出し口１１から取り出す上で望ましい。
また、衛生マスク３０は、袋体１０に２〜１００枚、好ましくは３〜５０枚、特に好ましくは５〜１０枚を積層収納するのが、利便性の観点から望ましい。
【００１６】
次に、上記の実施の形態に係る本考案衛生マスク包装体Ｐの使用例を説明する。
まず、蓋ラベル２０を袋体１０から剥離し、開口した取り出し口１１に装着時顔面に接触しない衛生マスク３０面を露出せしめる。尚、この場合、図２に示すように、蓋ラベル２０は、その切れ目２１部分で剥離が停止し、一部が袋体１０に止着された状態となっており、全部剥離による脱落や紛失が防止される。
次いで、当該露出している衛生マスク３０面を手指で摘み、上方に引き出せば、当該衛生マスク３０一枚のみを取り出せるので、装着時顔面に接触する面を手指で触れることなく顔面に装着することができる。
次いで、取り出し口１１を蓋ラベル２０で速やかに再シール（図１参照）すれば、次の取り出し時まで密封状態が保持される。
【符号の説明】
【００１７】
Ｐ：衛生マスク包装体
１０：袋体
１１：取り出し口
２０：蓋ラベル
２１：切れ目
３０：衛生マスク
３１：耳掛け部
【図１】
0003226470.tif 000003
【図２】
0003226470.tif 000004
【図３】
0003226470.tif 000005